(57)【特許請求の範囲】
【請求項１】
遊技盤面における遊技状況当たりの発生を判定表示する図柄表示装置を有するパチンコ遊技機において、
前記図柄表示装置が、光透過性を有する図柄表示画面と、前記図柄表示画面の裏面側に設けられ、複数のドットＬＥＤを配列してなるドットＬＥＤ表示基板と、前記ドットＬＥＤ表示基板の裏面側に設けられ、複数のＬＥＤランプが装着されたＬＥＤランプ表示基板とを備え、
前記ドットＬＥＤ表示基板に配列された複数のドットＬＥＤが、図柄表示画面の図柄変動領域の位置に合致するように配置されて、図柄変動領域に光を照射可能に形成され、
前記ＬＥＤランプ表示基板に装着された複数のＬＥＤランプは、該ＬＥＤランプの光が、図柄変動領域においてはドットＬＥＤ表示基板の複数のドットＬＥＤ間の隙間を透過し、図柄変動領域以外の部分はドットＬＥＤ表示基板のドットＬＥＤが設けられていない部分を透過して、図柄表示画面に光を照射可能に形成されていることを特徴とするパチンコ遊技機。
【発明の詳細な説明】
【０００１】
【発明の属する技術分野】
本発明はパチンコ遊技機に関し、更に詳しくは、遊技盤面に設けられる図柄表示装置に表示される図柄を多彩且つ容認し易い表示様態でもって表示するパチンコ遊技機に関するものである。
【０００２】
【従来の技術】
従来、この種のパチンコ遊技機の遊技状況においては、遊技盤面上に発射された遊技球が該遊技盤面に設けられる所定のゲートを通過、或いは所定の入賞口に入賞することを契機に図柄表示装置が変動することが知られている。そして、前記図柄表示装置が変動停止した時に表示される図柄が予め設定される特定の図柄表示形態と一致すれば、「当たり」や「大当たり」と称される特別な遊技状況が発生する契機となることは周知の通りである。
【０００３】
そして、このようなパチンコ遊技機に設けられる図柄表示装置には、通常、液晶を用いたディスプレイ、いわゆる液晶ディスプレイが用いられる。液晶ディスプレイは、透過型の液晶ユニットの画面上にコンピュータからの制御指示信号に基づいた画像を表示させるものである。但し液晶自体は発光しないことから、バックライトと称される照明でもって前記液晶ユニット画面を裏面側から照射し、この照射光が該ユニット画面を透過することによって前記液晶ユニット画面に表示される画像の視認性を向上させるものである。更に、前記液晶ユニット画面を保護するために、その画面表面上に保護パネルを添付したり、太陽光や蛍光灯の下での視認性を向上させるために反射光低減機能を備える薄膜フィルムを添付したものが用いられている。
【０００４】
【発明が解決しようとする課題】
しかしながら、画面表面上に保護パネルを添付すると画像の視認性が悪くなったり、太陽光や蛍光灯の光といった外部光の照射角度によっては画面表面上の画像が視認できないといった状況が発生し得る。そして又、反射光低減機能を有する薄膜フィルムを添付したものについても、その視認性は十分とは言えず、照射角度や照射光の強さ等の諸条件によっては、やはり視認性が悪化してしまう。加えて、このような機能を備える薄膜フィルムは高価であることからディスプレイの製造コストが増加してしまい、結果として遊技機本体の製造コストも増加してしまうといった問題があった。
【０００５】
本発明の解決しようとする課題は、遊技盤面上に設けられる、例えば、液晶ディスプレイを用いた図柄表示装置の視認性を向上させると共に、該図柄表示装置に表示される画像を多彩に表示することが可能なパチンコ遊技機を提供することにある。
【０００６】
【課題を解決するための手段】
この課題を解決するために、本発明のパチンコ遊技機は、遊技盤面における遊技状況当たりの発生を判定表示する図柄表示装置を有するパチンコ遊技機において、前記図柄表示装置が、光透過性を有する図柄表示画面と、前記図柄表示画面の裏面側に設けられ、複数のドットＬＥＤを配列してなるドットＬＥＤ表示基板と、前記ドットＬＥＤ表示基板の裏面側に設けられ、複数のＬＥＤランプが装着されたＬＥＤランプ表示基板とを備え、前記ドットＬＥＤ表示基板に配列された複数のドットＬＥＤが、図柄表示画面の図柄変動領域の位置に合致するように配置されて、図柄変動領域に光を照射可能に形成され、前記ＬＥＤランプ表示基板に装着された複数のＬＥＤランプは、該ＬＥＤランプの光が、図柄変動領域においてはドットＬＥＤ表示基板の複数のドットＬＥＤ間の隙間を透過し、図柄変動領域以外の部分はドットＬＥＤ表示基板のドットＬＥＤが設けられていない部分を透過して、図柄表示画面に光を照射可能に形成されていることを要旨とするものである。
【００１２】
【発明の実施の形態】
以下、本発明の好適な一実施の形態を図面を参照して詳しく説明する。
図１は、本実施形態に係るパチンコ遊技機の遊技盤面の構成図である。図示するように、本遊技機１０における遊技盤１１面の中央部には、周囲を装飾枠体４で囲まれた特別図柄表示装置２が設けられ、その真下位置には、可変翼タイプの始動入賞口６が設けられる。この始動入賞口６の下方位置には通常は閉じている大入賞口８及び該大入賞口８が開放された場合にのみ遊技球の入賞が可能となる特定入賞口９が設けられる。
【００１３】
また、前記装飾枠体４の枠面上部には７セグメントのデジタル表示で画像を表示する普通図柄表示装置１２が設けられる。この普通図柄表示装置１２に表示される図柄には「０」から「９」までの数字が設定され、所定の遊技状況の発生を契機に変動を開始すると共に、この変動停止後に表示される図柄が予め設定される図柄（例えば「２，４，６，８，０」の何れか）と一致すれば、「当たり」と称される遊技状況が発生する契機となる。
【００１４】
更に前記遊技盤１１面の左右位置には左ゲート１４及び右ゲート１５が設けられ、該左右ゲート１４，１５の下方位置には普通入賞口である左袖入賞口１６及び右袖入賞口１７、左落し入賞口１８、右落し入賞口１９が各々設けられる。そして、これらの普通入賞口及び前記始動入賞口６、大入賞口８、特定入賞口９に遊技球が入賞すると、所定個数の賞品球（以下「賞球」という）が払出される。
【００１５】
このように遊技盤１１面には各種の入賞口が設けられるが、他にも図示しない釘部材や遊技球の流下速度及び落下方向を無作為に変化させる風車２０等が設けられる。又、この遊技盤１１面の最下部には球排出口２２が設けられ、既述した何れの入賞口にも入賞しなかった遊技球は、ここから排出される。
【００１６】
図２は前記特別図柄表示装置２の表示画面である。特別図柄表示装置２は、いわゆる液晶ディスプレイが用いられ、その図柄表示画面３ｄには、数字や各種のキャラクタ図柄等の画像（図柄）が背景図柄と共に動画表示される。そして前記図柄表示画面３ｄの中央行には図柄変動領域３が設けられ、前記始動入賞口６に遊技球が入賞することを契機に変動を開始する左図柄表示部３ａ、右図柄表示部３ｂ、中図柄表示部３ｃが設けられる。
【００１７】
前記各図柄表示部３ａ、３ｂ、３ｃに表示される図柄は、各々「０」から「９」までの数字と２種類のキャラクタ図柄が設定される。そして前記始動入賞口６へ遊技球が入賞すると、それを契機に各図柄表示部３ａ、３ｂ、３ｃが順次変動を開始し、一定時間が経過すると停止する。ここで停止確定した図柄の組合せが全て同一図柄（例えば「７，７，７」）、いわゆる「大当たり図柄」であれば、「大当たり」と称される特別な遊技状況が発生する契機となる。
【００１８】
尚、前記各図柄表示部３ａ、３ｂの図柄が同一図柄（例えば「７，７」）で停止確定したものの、中図柄表示部３ｃの図柄が未だ停止確定しない状態は「リーチ」と称される。「リーチ」が発生すると、前記図柄表示画面３ｄには「リーチ」発生を報知する画像表示が開始される。但し、前記「リーチ」発生の有無に関わらず各図柄表示部３ａ、３ｂ、３ｃの組合せが全て一致しない場合は「はずれ」と称され、遊技状況は変動しない。尚、この特別図柄表示装置２における構成等の詳細については後述する。
【００１９】
図３は、前記遊技盤１１の裏面に設けられる遊技球検出用の検出スイッチ及びソレノイド等の配置図である。図示するように、始動入賞口６における遊技球通路には始動口用スイッチ６ａが設けられ、大入賞口８の通路には大入賞口用スイッチ８ａ、特定入賞口９の通路には特定入賞口用スイッチ９ａが各々設けられる。又、前記左右ゲート１４，１５の通路には左ゲート用スイッチ１４ａ、右ゲート用スイッチ１５ａ、そして右袖入賞口１７の通路には右袖入賞口用スイッチ１７ａが各々設けられる。
【００２０】
更に、前記各々の検出スイッチに近接してソレノイドが設けられる。例えば、前記始動入賞口６に設けられる可変翼を開閉動作させる普通電動役物用ソレノイド６ｂ、大入賞口８を開閉動作させる大入賞口用ソレノイド８ｂ、そして特定入賞口９を開閉動作させる特定入賞口用ソレノイド９ｂが各々設けられる。
【００２１】
また、前記遊技盤１１面外における下方位置にはセーフ球排出機構部３０が設けられ、前記遊技球通路を通過した遊技球が一括して集められる。このセーフ球検出機構部３０には遊技球の通過を検出するセーフ球検出スイッチ３０ａが設けられ、前記遊技球の通過が検出されると共に、その総数が計数される。
【００２２】
このように、遊技球通路に検出スイッチが設けられている場合は、該検出スイッチの作動に基づいて図示しない賞球払出機構部から賞球が払出される。但し、左袖入賞口１６のように検出スイッチが設けられていない入賞口については、前記検出スイッチにより検出された遊技球の総数と、前記セーフ球検出スイッチ３０ａに計数された総数との差分の入賞個数があったものとされ、該差分に応じた個数の賞球が賞球払出機構部から払出される。
【００２３】
図４は、本遊技機１０に係る主要な基板類の接続を示した制御ブロック図である。本遊技機１０には、前記各装置や基板等の作動を設定制御する主制御基板４０が設けられる。この主制御基板４０には特別図柄表示装置２及び普通図柄表示装置１２の動作を制御する図柄表示装置基板４２が接続され、更に、前記各検出スイッチからの検出信号等及び主制御基板４０から各装置への制御処理を中継する中継基板４４が設けられる。
【００２４】
前記図柄表示装置基板４２には、特別図柄表示装置２に係る動作を制御する特別図柄表示装置基板３ｆが接続され、更に該表示装置基板３ｆには特別図柄表示装置２への図柄表示を行うＴＦＴ−ＬＣＤモジュール３ｇが接続される。又、この図柄表示装置基板４２には普通図柄表示装置１２に係る動作を制御する普通図柄表示装置基板１２ｆが接続され、これらは前記主制御基板４０及び図柄表示装置基板４２等の制御に基づいて動作するように設定される。
【００２５】
前記中継基板４４には、前記左右ゲートスイッチ１４，１５に設けられる左右ゲート用スイッチ１４ａ、１５ａが接続され、更に始動入賞口６に設けられる始動口用スイッチ６ａ、該始動入賞口６の可変翼を開閉動作させる普通電動役物用ソレノイド６ｂが各々接続されると共に、前記セーフ球排出機構部３０に設けられるセーフ球排出ソレノイド３０ａがＣＲ賞球払出制御基板４６を介して接続される。
【００２６】
更に、大入賞口８への入賞を検出する大入賞口用スイッチ８ａ及び特定入賞口９への入賞を検出する特定入賞口用スイッチ９ａ、大入賞口用ソレノイド８ｂ、そして特定入賞口用ソレノイド５ｂが大入賞口基板８ｆを介して中継基板７４に接続される。
【００２７】
これらの、前記検出スイッチから検出された信号は、各基板及び主制御基板４０へと送信されて制御処理される。そして、前記制御処理に基づいて各種制御基板等への制御指示が行われることになる。尚、本遊技機１０においては、前記した以外にも各種制御基板や装置、検出スイッチ等が接続されるが、その図示及び説明については割愛する。
【００２８】
図５は、本パチンコ遊技機１０における遊技状況を示したフローチャートである。打球発射された遊技球が左右ゲート１４，１５の何れかを通過する（Ｓ１０「ＹＥＳ」）と、その通過が左右ゲート用スイッチ１４ａ，１５ａによって検出され、普通図柄表示装置１２が一定時間（例えば５．０秒間）図柄変動を行う（Ｓ１２）。そして、前記時間が経過すると変動は停止し図柄が表示確定される。
【００２９】
前記表示確定された図柄が「１，５，９」の何れか、いわゆる「当たり図柄」であった場合（Ｓ１４「ＹＥＳ」）は、「当たり」と称される遊技状況が発生し前記始動入賞口６の可変翼が一定時間開放される（Ｓ１６）。この開放された始動入賞口６に遊技球が入賞する（Ｓ１８「ＹＥＳ」）と、始動口用スイッチ６ａからの検出信号に基づいて図示しない賞球払出機構部から所定個数の賞球が払出され、更に前記特別図柄表示装置２の図柄変動領域３に設けられる各図柄表示部３ａ、３ｂ、３ｃが順次図柄変動を開始する（Ｓ２０）。
【００３０】
そして、一定時間（例えば７秒間）図柄変動した後に停止確定された図柄の組合せが「大当たり図柄」であれば（Ｓ２２「ＹＥＳ」）、「大当たり」と称される遊技状況が発生し、条件装置が作動することになる（Ｓ２４）。
【００３１】
但し、Ｓ１４において普通図柄表示装置１２に「当たり図柄」が表示されない（Ｓ１４「ＮＯ」）場合、Ｓ１８において遊技球が始動入賞口６に入賞しない（Ｓ１８「ＮＯ」）場合、そしてＳ２６において遊技球が遊技盤１１面に設けられる入賞口の何れにも入賞しない（Ｓ１０「ＮＯ」、Ｓ２６「ＮＯ」）場合は「はずれ」となる。そして又、特別図柄表示装置２が図柄変動後に表示確定した図柄が「大当たり」図柄以外であった場合（Ｓ２２「ＮＯ」）も、前記同様に「はずれ」となり、何れの場合も遊技状況は変動しない。
【００３２】
尚、Ｓ１０において遊技球が前記遊技盤１１面の普通入賞口に入賞した場合は所定個数の賞球が払出される（Ｓ１０「ＮＯ」、Ｓ２６「ＹＥＳ」、Ｓ２８）が、この場合も遊技状況は変動しない。
【００３３】
ここで前記条件装置が作動すると、大入賞口８及び特定入賞口９が開放される（Ｓ３０）。この開放された大入賞口８に遊技球が入賞する（Ｓ３２「ＹＥＳ」）と、その入賞が大入賞口用スイッチ８ａによって検出され、賞球払出機構部から所定個数の賞球が払出される。そして大入賞口８への入賞球数が１０個に至るか、若しくは大入賞口８が開放されて２９秒間が経過するか何れかの条件が満たされる（Ｓ３４「ＹＥＳ」）と、大入賞口８は閉鎖され条件装置の作動が終了する（Ｓ３６、Ｓ３８）。但し、何れの条件も満たさない間（Ｓ３４「ＮＯ」）は、大入賞口８の開放状態が維持される。
【００３４】
また、大入賞口８が開放されている間に遊技球が特定入賞口９に入賞する（Ｓ３２「ＮＯ」、Ｓ４０「ＹＥＳ」）と、その入賞が特定入賞口用スイッチ９ａに検出されて所定個数の賞球が払出されると共に、特定入賞口用ソレノイド９ｂと大入賞口用ソレノイド８ｂが作動し、特定入賞口９と大入賞口８は一旦閉鎖される（Ｓ４２）。
【００３５】
そして、前記特定入賞口９の開放中に遊技球が入賞すると、その度に大入賞口８の開閉が繰返され、予め設定される連続作動回数（例えば１５回）まで前記動作が繰返される。但し、途中で特定領域入賞口９に遊技球が入賞しないまま（Ｓ４０「ＮＯ」）Ｓ３４に示す条件が満たされると、そこで条件装置の作動は終了することになる。
【００３６】
次に、特別図柄表示装置２の詳細について説明する。
図６は、前記特別図柄表示装置２を構成するユニットの外観図（（ａ）正面図、（ｂ）斜視図）である。図２にて既述したように、特別図柄表示装置２は、その表正面に設けられる図柄表示画面３ｄ上に各種の画像（図柄）が表示されるものである。そして、箱状の液晶ケース２ｂの内部には基板や部材が複数備えられ、その背面には開閉可能な裏蓋２ｃが設けられる。又、前記液晶ケース２ｂの外部壁面には、コネクタピン２ａが複数設けられ、図示しないコネクタケーブルとワンタッチでの着脱が可能であると共に、該ケーブルを介して他の制御基板や装置等と制御信号等の授受が行われる。
【００３７】
前記液晶ケース２ｂの内部には、図７に図示するように、ＴＦＴ−ＬＣＤモジュール３ｇ、ドットＬＥＤ基板２ｄ、スペーサ２ｆ、更にＬＥＤランプ基板２ｇが備えられる。そして、その最前列に備えられるＴＦＴ−ＬＣＤモジュール３ｇは、図２にて既述したように、各図柄表示部３ａ、３ｂ、３ｃを含む図柄表示画面３ｄ上に表示される画像（図柄）が表示され、遊技者は、この画像（図柄）を直接視認することになる。
【００３８】
そして次列には、図８（ａ）に図示するように、中央行にのみドットＬＥＤ２ｅが設けられるドットＬＥＤ基板２ｄが備えられる。ドットＬＥＤ２ｅは、図８（ｂ）の拡大図に示すように、同型のドットＬＥＤがマトリクス状に設けられ、所定の制御指示に基づいて点灯点滅し発光が行われると共に、対角に隣接するドットＬＥＤ２ｅ間に生じる隙間２ｋから光が透過するように構成される。尚、前記ドットＬＥＤ２ｅが設けられていない部分についても、光が透過するように構成される。
【００３９】
前記ドットＬＥＤ２ｅが設けられる位置は、特別図柄表示装置２の表示画面における図柄変動領域３の位置に合致する。つまり、前記ドットＬＥＤ２ｅは図柄変動領域３の位置と合致する位置にのみ設けられ、該図柄変動領域３以外の位置には設けられない。
【００４０】
そして、前記ドットＬＥＤ基板２ｄの次列には、図９（ａ）に図示するように井形状の仕切板２ｆ’を有するスペーサ２ｆが備えられ、更に次列には、図９（ｂ）に図示するＬＥＤランプ基板２ｇが備えられる。前記ＬＥＤランプ基板２ｇは、３行３列、合計９個のＬＥＤランプ２ｈが設けられ、特別図柄表示装置基板３ｆ及び主制御基板４０等の制御指示に基づいて、各々個別に点灯点滅される。
【００４１】
これらの部材及び基板は、順次並列して液晶ケース２ｂへと納められるが、ここで前記スペーサ２ｆとＬＥＤランプ基板２ｇを並列して備えると、該スペーサ２ｆの仕切板２ｆ’が、ＬＥＤランプ基板２ｇ上に設けられるＬＥＤランプ２ｈを図９（ｃ）に図示するように、９ブロック（「Ｄ」「Ｅ」「Ｆ」「Ｇ」「Ｈ」「Ｋ」「Ｍ」「Ｎ」「Ｐ」）のエリアが構成される。
【００４２】
これに伴って、前記スペーサ２ｆよりも前面に備えられるＴＦＴ−ＬＣＤモジュール及びドットＬＥＤ基板２ｄも、前記９ブロックのエリアに分割されて構成される。つまり、前記ＬＥＤランプ２ｈは各々個別に点灯し、ドットＬＥＤ基板２ｄを９ブロックに設けられたランプでもって裏面側から照射する。そして、前記ＬＥＤランプ２ｈの照射光は、前記ドットＬＥＤ基板２ｄを透過してＴＦＴ−ＬＣＤモジュール３ｇを裏面から同時に照射することになる。このように、特別図柄表示装置２における図柄表示画面３ｄは、９ブロックのエリアから構成される。
【００４３】
そして、前記ドットＬＥＤ基板２ｄに設けられるドットＬＥＤ２ｅは、図１０及び図１１（（ａ）Ａ−Ａ'横断面図、（ｂ）Ｂ−Ｂ'縦断面図）に図示するように、前記９ブロックのうち中央行（「Ｇ」「Ｈ」「Ｋ」ブロック）上にのみ設けられ、他ブロック上には設けられない。尚、前記「Ｇ」ブロックは左図柄表示部３ａ、「Ｈ」ブロックは中図柄表示部３ｃ、「Ｋ」ブロック  は右図柄表示部３ｂに各々合致することから、前記ドットＬＥＤ２ｅは、各図柄表示部３ａ、３ｂ、３ｃ上にのみ設けられる。
【００４４】
図１２は、ＴＦＴ−ＬＣＤモジュール３ｇへの照射状態を示したモデル図である。図示するように、「Ｆ」ブロックはドットＬＥＤ基板２ｄ上にドットＬＥＤ２ｅが設けられず、「Ｋ」ブロックはドットＬＥＤ２ｅが設けられる。そして、前記「Ｆ」ブロックにおいてＬＥＤランプ２ｈが点灯されると、その照射光は表面（前方）に設けられるドットＬＥＤ基板２ｄを裏面から照射する。このドットＬＥＤ基板２ｄは、前記ＬＥＤランプ２ｈの照射光をそのまま透過することから、ＴＦＴ−ＬＣＤモジュールはＬＥＤランプ２ｈに裏面から照射される。
【００４５】
そして、前記「Ｋ」ブロックにおいてＬＥＤランプ２ｈが点灯される場合も、前記「Ｆ」ブロックと同様に、ドットＬＥＤ基板２ｄを裏面から照射する。但し「Ｋ」ブロックにおいては、ドットＬＥＤ基板２ｄ上にドットＬＥＤ２ｅが設けられることから、ＬＥＤランプ２ｈの照射光は、該ドットＬＥＤ２ｅ間に設けられる隙間２ｋのみを透過しＴＦＴ−ＬＣＤモジュール３ｇを裏面から照射する。更にここで前記ドットＬＥＤ２ｅが点灯されると、ＴＦＴ−ＬＣＤモジュール３ｇは、ＬＥＤランプ２ｈとドットＬＥＤ２ｅに同時に照射される。
【００４６】
この照射光の違いにより、ドットＬＥＤ２ｅが設けられた位置と設けられない位置とではＴＦＴ−ＬＣＤモジュール３ｇ上における照度が異なり、結果として特別図柄表示装置２の図柄表示画面３ｄ上における光度に差違が生じることになる。
【００４７】
尚、前記ＬＥＤランプ及びドットＬＥＤの何れか（又は双方）を青色系のような有色発光するものを用いてもよい。又更に、ＬＥＤランプ及びドットＬＥＤの何れか（又は双方）に発光ダイオードを用いて、これらの点灯消灯を遊技状況に応じて制御することも可能である。
【００４８】
次に、前記ＬＥＤランプ２ｈ及びドットＬＥＤ２ｅの点灯消滅動作を組み合わせた照射パターンについて説明する。この照射パターン（以下「照射変動パターン」という）は、前記ＬＥＤランプ２ｈ及びドットＬＥＤ２ｅを点灯又は消滅を組み合わせて複数種類の照射変動パターンを設定し、遊技状況に応じて各々異なる照射変動パターンを用いるものである。尚、図中における特別図柄表示装置２の図柄表示画面３ｇは、９ブロック（「Ｄ」「Ｅ」「Ｆ」「Ｇ」「Ｈ」「Ｋ」「Ｍ」「Ｎ」「Ｐ」）から構成されるものとし、該ブロック内の斜線部はＬＥＤランプ２ｈ（及びドットＬＥＤ２ｅ）が消灯されているブロックとする。
【００４９】
図１３及び図１４は、遊技状況に「リーチ」が発生しない場合、つまり「はずれ」が発生する場合の照射変動パターンを示し、更に図１５及び図１６は、「リーチ」が発生する場合の照射変動パターン（図１５（ａ）リーチパターン１、（ｂ）リーチパターン２、図１６リーチパターン３）である。
【００５０】
特別図柄表示装置２における各図柄表示部３ａ、３ｂ、３ｃが図柄変動を開始すると、前記照射変動パターンの何れかが開始されるが、これらのパターンのうち何れが表示されるかは、先ず該図柄変動終了後に「リーチ」が発生するか否かに係る。そして、「はずれ」が発生する場合は図１３及び図１４の照射変動パターンの何れかが選出され、「リーチ」が発生する場合は図１５及び図１６のリーチパターンの何れかが選出されることになる。この選出方法は遊技状況やカウンタを用いてランダムに選出されるが、その説明については割愛する。
【００５１】
そして、表１乃至表４には、前記照射変動パターン及びリーチパターンが作動しているときの各図柄表示部３ａ、３ｂ、３ｃの図柄変動パターンを示すものとし、又、前記照射変動パターンについての詳細な説明等は割愛する。
【００５２】
【表１】
0003804905.tif 000002
【００５３】
【表２】
0003804905.tif 000003
【００５４】
【表３】
0003804905.tif 000004
【００５５】
【表４】
0003804905.tif 000005
【００５６】
このように、本照射変動パターンにはＬＥＤランプの点灯消灯をもって照射光を変化させたが、更にドットＬＥＤの点灯消灯を加えて、より多様化した照射変動パターンを構成するようにしてもよい。そして更に、各図柄表示部の図柄変動に基づいて該図柄表示部のＬＥＤランプやドットＬＥＤの点灯消灯を制御するといったことも可能である。
【００５７】
以上においては、例えば、液晶ディスプレイを用いた図柄表示装置の視認性を向上させ、画像を多彩に表示することを可能とするためとして表したが、液晶ディスプレイを用いない図柄表示装置の表示態様を拡大し、且つパチンコ遊技機における表示装置の趣向性を向上させることを目的とする発明として構成してもよい。この場合において、例えば、図４、図７、図１２に図示し実施形態において説明したＴＦＴ−ＬＣＤモジュールを透明板若しくはエレクトロルミネッセンスセル板とし、液晶板についての表示制御をする構成とせずに、ＬＥＤランプ基板と、ＬＥＤランプ２ｈと、ドットＬＥＤ基板と、ドットＬＥＤと、保護レンズ（前記透明板或いはエレクトロルミネッセンスセル板）とを組み合わせた構造とする。
【００５８】
このように構成する場合においては、液晶ディスプレイを制御する制御手段（ビデオプロセッサＶＤＰや液晶板ＬＣＤ等）を必要とせず、パチンコ遊技機に組み付ける図柄表示装置の価額を低くした状態で、ドット（セグメント）ＬＥＤ基板に設けられたＬＥＤと（バックライト用）ＬＥＤランプ基板に設けられたＬＥＤ若しくはランプとによって、図柄表示装置の表示態様を拡大し、且つパチンコ遊技機における表示装置の趣向性を向上させることが可能となる。
【００５９】
本発明は、上記した実施の形態に何ら限定されるものではなく、本発明の趣旨を逸脱しない範囲で種々の改変が可能である。例えば、照射に用いたランプ及びＬＥＤの種類及びその数、設置場所、ドットＬＥＤを備える位置及びその形状、そして、ドットＬＥＤ間の隙間及びＬＥＤランプの光透過形態等は適宜可能である。これによって、更に効果的且つ効率的に照射を行うことが可能となると共に、拡張性の高い遊技機を提供することができる。
【００６０】
【発明の効果】
本発明のパチンコ遊技機によれば、図柄表示装置が、光透過性を有する図柄表示画面と、前記図柄表示画面の裏面側に設けられ、複数のドットＬＥＤを配列してなるドットＬＥＤ表示基板と、前記ドットＬＥＤ表示基板の裏面側に設けられ、複数のＬＥＤランプが装着されたＬＥＤランプ表示基板とを備え、前記ドットＬＥＤ表示基板に配列された複数のドットＬＥＤが、図柄表示画面の図柄変動領域の位置に合致するように配置されて、図柄変動領域に光を照射可能に形成され、前記ＬＥＤランプ表示基板に装着された複数のＬＥＤランプは、該ＬＥＤランプの光が、図柄変動領域においてはドットＬＥＤ表示基板の複数のドットＬＥＤ間の隙間を透過し、図柄変動領域以外の部分はドットＬＥＤ表示基板のドットＬＥＤが設けられていない部分を透過して、図柄表示画面に光を照射可能に形成されていることにより、図柄表示画面の図柄表示領域はドットＬＥＤ表示基板及びＬＥＤランプ表示基板の光で照射され、図柄表示画面の図柄表示領域以外の部分はＬＥＤランプ表示基板のみの光で照射されるから、図柄表示画面における照度を図柄表示領域と図柄表示領域以外の部分で異ならしめることができる。
更に図柄表示領域は、ドットＬＥＤ表示基板及びＬＥＤランプ表示基板の両方から光を照射可能であるから、視認に十分な光量が得られる。
更にドットＬＥＤ表示基板及びＬＥＤランプ表示基板の表示態様を各種組み合わせることができ、図柄表示画面における表示を遊技状況等に応じて多種多様に行うことができる。
このように本発明パチンコ遊技機によれば、図柄表示装置の表示態様を拡大し、且つパチンコ遊技機における表示装置の趣向性を向上させることができる。
【００６５】
【図面の簡単な説明】
【図１】本発明の一実施の形態におけるパチンコ遊技機の遊技盤正面図である。
【図２】本遊技機における特別図柄表示装置の正面図である。
【図３】遊技盤裏面に設けられる各スイッチ及びソレノイド等の配置図である。
【図４】本遊技機に係る主要な基板類の接続を示した制御ブロック図である。
【図５】本遊技機の遊技動作を示したフローチャートである。
【図６】（ａ）、（ｂ）特別図柄表示装置の外観図である
【図７】図６に示す特別図柄表示装置の分解斜視図である。
【図８】（ａ）、（ｂ）ドットＬＥＤ基板の詳細図である。
【図９】（ａ）、（ｂ）、（ｃ）スペーサ及びＬＥＤランプ基板の詳細図である。
【図１０】ドットＬＥＤ基板の設置図である。
【図１１】（ａ）、（ｂ）図１０の横断面図及び縦断面図である。
【図１２】ＴＦＴ−ＬＣＤモジュールへの照射状態を示したモデル図である。
【図１３】「リーチ」が発生しない場合の照射変動パターンである。
【図１４】「リーチ」が発生しない場合の照射変動パターンである。
【図１５】（ａ）、（ｂ）「リーチ」が発生する場合の照射変動パターンである。
【図１６】「リーチ」が発生する場合の照射変動パターンである。
【符号の説明】
２    特別図柄表示装置
２ｄ  ドットＬＥＤ基板
２ｅ  ドットＬＥＤ
２ｆ  ＬＥＤランプ基板
２ｈ  ＬＥＤランプ
２ｋ  隙間
３ｇ  ＴＦＴ−ＬＣＤモジュール
１０    パチンコ遊技機
１１    遊技盤
【図１】
0003804905.tif 000006
【図２】
0003804905.tif 000007
【図３】
0003804905.tif 000008
【図４】
0003804905.tif 000009
【図５】
0003804905.tif 000010
【図６】
0003804905.tif 000011
【図７】
0003804905.tif 000012
【図８】
0003804905.tif 000013
【図９】
0003804905.tif 000014
【図１０】
0003804905.tif 000015
【図１１】
0003804905.tif 000016
【図１２】
0003804905.tif 000017
【図１３】
0003804905.tif 000018
【図１４】
0003804905.tif 000019
【図１５】
0003804905.tif 000020
【図１６】
0003804905.tif 000021